(57)【要約】【課題】ギャップによる振動や騒音の発生を防ぐことができるリアクターを提供する。【解決手段】中足１１Ａおよび外足１１Ｂ、１１Ｃとこれらを連結する連結部とからなるＥ型コア１１と、Ｅ型コア１１と共に磁気回路を形成するＩ型コアとをリアクターが備えている。このリアクターには、Ｅ型コア１１の中足１１Ａの外周にコイルが巻装され、中足１１Ａにギャップ１４が設けられている。このリアクターは、ギャップ１４が設けられている中足１１Ａからこのギャップ１４までを覆うように巻装された絶縁紙１３Ｃと、絶縁紙１３Ｃで覆われたギャップ１４に挿入された埋め込み部１５とを備える。【選択図】　図４
2004140055.tif 000002
【特許請求の範囲】
【請求項１】
中足および外足とこれらを連結する連結部とからなるＥ型コアと、前記Ｅ型コアと共に磁気回路を形成するＩ型コアとを備え、前記Ｅ型コアの中足の外周にコイルが巻装され、前記中足および前記各外足の１つの足にギャップが設けられているリアクターにおいて、
前記ギャップが設けられている足からこのギャップまでを覆うように巻装された巻装部と、
前記巻装部で覆われた前記ギャップに挿入された埋め込み部と、
を備えることを特徴とするリアクター。
【請求項２】
前記巻装部は、前記ギャップが設けられている足を絶縁する絶縁材で形成されていることを特徴とする請求項１に記載のリアクター。
【請求項３】
前記埋め込み部は、前記ギャップと略同じ形状であることを特徴とする請求項１または２に記載のリアクター。
【発明の詳細な説明】
【０００１】
【発明の属する技術分野】
この発明は、エアコン等に用いられて力率改善用などとして使用されるリアクターに関する。
【０００２】
【従来の技術】
この種のリアクターには、図９に示すように、コア１００とコイル１５０とにより構成されているものがある。コア１００は、Ｅ型コア１１０とＩ型コア１２０とからなり、この場合、Ｅ型コア１１０の中足１１１の外周にコイル１５０が組み込まれている。さらに、Ｅ型コア１１０にＩ型コア１２０が接合されるなどして、リアクターが構成されている。
【０００３】
【発明が解決しようとする課題】
前記のリアクターには、インダクタンスを調整するためのギャップ１３０が形成されているものがある。ギャップ１３０が形成されている場合、ギャップ１３０により、リアクターには、振動や騒音が発生するという問題点がある。
【０００４】
この発明は、前記の課題を解決し、ギャップによる振動や騒音の発生を防ぐことができるリアクターを提供することにある。
【０００５】
【課題を解決するための手段】
前記課題を解決するために、請求項１の発明は、中足および外足とこれらを連結する連結部とからなるＥ型コアと、前記Ｅ型コアと共に磁気回路を形成するＩ型コアとを備え、前記Ｅ型コアの中足の外周にコイルが巻装され、前記中足および前記各外足の１つの足にギャップが設けられているリアクターにおいて、前記ギャップが設けられている足からこのギャップまでを覆うように巻装された巻装部と、前記巻装部で覆われた前記ギャップに挿入された埋め込み部とを備えることを特徴とするリアクターである。
【０００６】
請求項２の発明は、請求項１に記載のリアクターにおいて、前記巻装部は、前記ギャップが設けられている足を絶縁する絶縁材で形成されていることを特徴とする。請求項３の発明は、請求項１または２に記載のリアクターにおいて、前記埋め込み部は、前記ギャップと略同じ形状であることを特徴とする。
【０００７】
【発明の実施の形態】
つぎに、この発明の実施の形態について、図面を参照して詳しく説明する。
【０００８】
［実施の形態１］
実施の形態１によるリアクターを図１と図２に示す。このリアクターは、コア１０とコイル２０とで構成されている。
【０００９】
コア１０は、Ｅ型コア１１とＩ型コア１２とで構成されている。Ｅ型コア１１とＩ型コア１２とによって、磁気回路が形成される。Ｅ型コア１１は、中央部に設けられた中足１１Ａ、その両側にそれぞれ設けられた外足１１Ｂ、１１Ｃ、および、これらの基部を連結する連結部１１Ｄを備えている。外足１１Ｂ、１１Ｃの先端部の端面は、Ｉ型コア１２の対応する対向面と接合される。
【００１０】
Ｅ型コア１１の中足１１Ａには、コイル２０が組み込まれる。中足１１Ａと外足１１Ｂとの間に位置するコイル２０の外周には、絶縁紙１３Ａが巻装されている。中足１１Ａと外足１１Ｃとの間に位置するコイル２０の外周には、絶縁紙１３Ｂが巻装されている。絶縁紙１３Ａ、１３Ｂはコイル２０を絶縁するための絶縁材で作られている。
【００１１】
中足１１Ａは、図３と図４に示すように、ギャップ１４を形成するために、外足１１Ｂ、１１Ｃに比べて短くなっている。ギャップ１４は、インダクタンスを調整するために設けられている。中足１１Ａの外周壁には、絶縁紙１３Ｃが巻装されている。絶縁紙１３Ｃは、中足１１Ａとコイル２０との間を絶縁するための絶縁材で作られている。絶縁紙１３Ｃの幅は、外足１１Ｂ、１１Ｃの長さ（外足１１Ｂ、１１Ｃの端面から基部までの距離）とほぼ同じである。これによって、ギャップ１４は絶縁紙１３Ｃによって仕切られる。この実施の形態では、絶縁紙１３Ｃが巻装部である。
【００１２】
ギャップ１４の中には、このギャップ１４とほぼ同じ大きさをした直方体形状の埋め込み部１５が設けられている。埋め込み部１５の底面の大きさは中足１１Ａの端面とほぼ同じであり、高さは中足１１Ａの端面からＩ型コア１２が位置する部分までの間隔と同じである。埋め込み部１５は、中足１１Ａの端面などに固定されていない。つまり、埋め込み部１５は、ギャップ１４内に置かれただけである。
【００１３】
埋め込み部１５としては、振動を抑制する硬さのものであればよい。たとえば、合成樹脂等が埋め込み部１５として使用可能である。
【００１４】
この実施の形態によるリアクターは前記の構成をしている。このリアクターを製造する場合、Ｅ型コア１１の中足１１Ａに、外足１１Ｂ、１Ｃの長さと同じ幅の絶縁紙１３Ｃを巻装する。この後、中足１１Ａにコイル２０を組み込む。コイル２０は、あらかじめ所定形状に巻かれ、絶縁紙１３Ａと絶縁紙１３Ｂとがコイル２０に巻装されている。この後、絶縁紙１３Ｃで仕切られたギャップ１４に埋め込み部１５を置く。そして、外足１１Ｂ、１１Ｃの先端部の端面と、Ｉ型コア１２の対応する対向面とを接合する。
【００１５】
前記のリアクターにより、絶縁紙１３Ｃで仕切られたギャップ１４と略同じ形状をした埋め込み部１５が、ギャップ１４に挿入されているので、ギャップ１４による振動や騒音の発生を防ぐことができる。また、ギャップ１４に埋め込み部１５を挿入するだけの工程を加えるだけで、振動や騒音の発生を防ぐことが可能である。さらに、単に挿入された埋め込み部１５が絶縁紙１３Ｃによって囲まれているので、絶縁紙１３Ｃで囲まれたギャップ１４の外へ移動することがなく、振動や騒音の発生を確実に防止することができる。
【００１６】
［実施の形態２］
実施の形態２によるリアクターを図５と図６に示す。このリアクターは、コア５０とコイル６０とで構成されている。
【００１７】
コア５０は、Ｅ型コア５１とＩ型コア５２とで構成されている。Ｅ型コア５１とＩ型コア５２とによって、磁気回路が形成される。Ｅ型コア５１は、中央部に設けられた中足５１Ａ、その両側にそれぞれ設けられた外足５１Ｂ、５１Ｃ、および、これらの基部を連結する連結部５１Ｄを備えている。連結部５１Ｄには、図７に示すように、中足５１Ａの接合部分に沿って溝５１Ｄ１、５１Ｄ２が設けられている。Ｅ型コア５１の外足５１Ｂ、５１Ｃの先端部の端面は、Ｉ型コア５２の対応する対向面と接合される。
【００１８】
Ｉ型コア５２がＥ型コア５１に接合されるときに、Ｅ型コア５１の溝５１Ｄ１、５１Ｄ２と向かい合うＩ型コア５２の部分に、溝５２Ａ、５２Ｂ（図６）が設けられている。
【００１９】
Ｅ型コア５１の中足５１Ａには、コイル６０が組み込まれる。中足５１Ａと外足５１Ｂとの間に位置するコイル６０には、絶縁紙５３Ａが装着され、中足５１Ａと外足５１Ｃとの間に位置するコイル６０には、絶縁紙５３Ｂが装着される。
【００２０】
絶縁紙５３Ａは、中央部５３Ａ１に対して両方の端部５３Ａ２、５３Ａ３が同じ方向に折り曲げられ、さらに、端部５３Ａ２、５３Ａ３には、ガイド部５３Ａ４、５３Ａ５がそれぞれ設けられている。コイル６０が組み込まれるとき、ガイド部５３Ａ４がＩ型コア５２の溝５２Ａに挿入され、ガイド部５３Ａ５がＥ型コア５１の溝５１Ｄ１に挿入される。
【００２１】
同じように、絶縁紙５３Ｂは、中央部５３Ｂ１に対して両方の端部５３Ｂ２、５３Ｂ３が同じ方向に折り曲げられ、さらに、端部５３Ｂ２、５３Ｂ３には、ガイド部５３Ｂ４、５３Ｂ５がそれぞれ設けられている。コイル６０が組み込まれるとき、ガイド部５３Ｂ４がＩ型コア５２の溝５２Ｂに挿入され、ガイド部５３Ｂ５がＥ型コア５１の溝５１Ｄ２に挿入される。
【００２２】
中足５１Ａは、図８に示すように、ギャップ５４を形成するために、外足５１Ｂ、５１Ｃに比べて短くなっている。ギャップ５４は、インダクタンスを調整するために設けられている。中足５１Ａの外周壁には、絶縁紙５３Ｃが巻装されている。絶縁紙５３Ｃは、中足５１Ａとコイル６０との間を絶縁するための絶縁材で作られている。絶縁紙５３Ｃの幅は、Ｅ型コア５１の溝５１Ｄ１からＩ型コア５２の溝５２Ａに到るまでの長さとほぼ同じである。これによって、ギャップ５４は絶縁紙５３Ｃによって仕切られる。ギャップ５４の端面は、図８中の２点鎖線で囲まれている部分である。この実施の形態では、絶縁紙５３Ｃが巻装部である。
【００２３】
ギャップ５４の中には、このギャップ５４とほぼ同じ大きさをした直方体形状の埋め込み部５５が設けられている。埋め込み部５５の底面の大きさは中足５１Ａの端面とほぼ同じであり、高さは中足５１Ａの端面からＩ型コア５２が位置する部分（２点鎖線で示される位置）までの間隔と同じである。埋め込み部５５は、中足５１Ａの端面などに固定されていない。つまり、埋め込み部５５は、ギャップ１４内に置かれただけである。
【００２４】
埋め込み部５５としては、振動を抑制する硬さのものであればよい。たとえば、合成樹脂等が埋め込み部５５として使用可能である。
【００２５】
この実施の形態によるリアクターは前記の構成をしている。このリアクターを製造する場合、Ｅ型コア５１の中足５１Ａに、絶縁紙５３Ｃを巻装する。このとき、絶縁紙５３Ｃの一方の端をＥ型コア５１の溝５１Ｄ１と溝５１Ｄ２に挿入する。この後、中足５１Ａにコイル６０を組み込む。コイル６０は、あらかじめ所定形状に巻かれている。つぎに、コイル６０に絶縁紙５３Ａを装着する。このとき、絶縁紙５３Ａのガイド部５３Ａ５をＥ型コア５１の溝５１Ｄ１に挿入し、絶縁紙５３Ｂのガイド部５３Ｂ５をＥ型コア５１の溝５１Ｄ２に挿入して、コイル６０に絶縁紙５３Ａ、５３Ｂを装着する。
【００２６】
絶縁紙５３Ａ、５３Ｂを装着すると、絶縁紙５３Ｃで仕切られたギャップ５４に、埋め込み部５５を置く。そして、絶縁紙５３Ａのガイド部５３Ａ４と絶縁紙５３Ｃの他方の端とを、Ｉ型コア５２の溝５２Ａに挿入し、絶縁紙５３Ｂのガイド部５３Ｂ４と絶縁紙５３Ｃの他方の端とを、Ｉ型コア５２の溝５２Ｂに挿入し、外足５１Ｂ、５１Ｃの先端部の端面と、Ｉ型コア５２の対応する対向面とを接合する。
【００２７】
前記のリアクターにより、絶縁紙５３Ｃで仕切られたギャップ５４に埋め込み部５５が挿入されているので、ギャップ５４を設けても、ギャップ５４による振動や騒音の発生を防ぐことができる。また、ギャップ５４に埋め込み部５５を挿入するだけの工程を加えるだけで、振動や騒音の発生を防ぐことが可能である。さらに、単に挿入された埋め込み部５５が絶縁紙５３Ｃによって囲まれているので、絶縁紙５３Ｃで囲まれたギャップ５４の外へ移動することがなく、振動や騒音の発生を確実に防止することができる。
【００２８】
以上、この発明の実施の形態１、２を詳述してきたが、具体的な構成はこれらの実施の形態に限られるものではなく、この発明の要旨を逸脱しない範囲の設計の変更等があっても、この発明に含まれる。たとえば、実施の形態１、２では、埋め込み部１５、５５をギャップ１４、５４に挿入しただけであったが、中足１１Ａ、５１Ａの端面およびＩ型コア１２、５２の少なくとも一方に埋め込み部１５、５５を固着してもよい。
【００２９】
【発明の効果】
以上、説明したように、この発明のリアクターによれば、リアクターにギャップが設けられている場合、このギャップを埋めるように埋め込み部が挿入されているので、このギャップによる振動や騒音の発生を防ぐことができる。また、ギャップが形成された足に巻装部が設けられているので、埋め込み部が巻装部によって囲まれている。この結果、埋め込み部の移動が巻装部で阻止され、埋め込み部がギャップの外へ移動することがなく、振動や騒音の発生を確実に防止することができる。
【図面の簡単な説明】
【図１】この発明の実施の形態１によるリアクターを示す斜視図である。
【図２】図１の分解斜視図である。
【図３】Ｅ型コアに絶縁紙を巻装する様子を示す斜視図である。
【図４】Ｅ型コアを示す斜視図である。
【図５】この発明の実施の形態２によるリアクターを示す斜視図である。
【図６】図５の分解斜視図である。
【図７】絶縁紙を装着する様子を示す斜視図である。
【図８】Ｅ型コアを示す斜視図である。
【図９】従来のリアクターを示す断面図である。
【符号の説明】
１０　コア
１１　Ｅ型コア
１１Ａ　中足
１１Ｂ、１１Ｃ　外足
１１Ｄ　連結部
１２　Ｉ型コア
１３Ａ、１３Ｂ、１３Ｃ　絶縁紙
１４　ギャップ
１５　埋め込み部
２０　コイル
５０　コア
５１　Ｅ型コア
５１Ａ　中足
５１Ｂ、５１Ｃ　外足
５１Ｄ　連結部
５１Ｄ１、５１Ｄ２　溝
５２　Ｉ型コア
５２Ａ、５２Ｂ　溝
５３Ａ、５３Ｂ、５３Ｃ　絶縁紙
５３Ａ１、５３Ｂ１　中央部
５３Ａ２、５３Ａ３、５３Ｂ２、５３Ｂ３　端部
５３Ａ４、５３Ａ５、５３Ｂ４、５３Ｂ５　ガイド部
５４　ギャップ
５５　埋め込み部
６０　コイル
【図１】
2004140055.tif 000003
【図２】
2004140055.tif 000004
【図３】
2004140055.tif 000005
【図４】
2004140055.tif 000006
【図５】
2004140055.tif 000007
【図６】
2004140055.tif 000008
【図７】
2004140055.tif 000009
【図８】
2004140055.tif 000010
【図９】
2004140055.tif 000011